(57)【特許請求の範囲】
【請求項１】
舞台の奥側に配設されて舞台の客席側に開口すると共に背面部と左右一対の脇部と天井部と床部とで横向き函状に形成された基体と、上記脇部の開口端に担持されて前後方向に折り畳み可能に形成された左右一対の脇体と、上記天井部の開口端に釣支されて起伏可能に設定された天井体と、上記背面部と脇部と天井部と脇体と天井体の各内側に展設した音響反射材と、上記床部の下面側に装備したエアーベアリングとを有してなり、上記天井体が上記基体の上方の開口端に吊り下げられた状態に維持されると共に上記脇体を折り畳んで上記脇部に副う状態に維持させた格納状態で上記エアーベアリングのエアブロー効果で基体を舞台の上方に浮上させながら所定の設置場所に移動可能にしたことを特徴とする音響反射板装置
【請求項２】
基体が舞台に装備の迫り台装置上に載置されて迫り下げられたときに伸ばされた左右一対の脇体の下端が舞台の床面に支承されてなる請求項１の音響反射板装置
【請求項３】
天井体が舞台の上方に配備されたバトン機構から垂下される吊りワイヤに分離可能に連結されて起伏可能とされてなる請求項１の音響反射板装置
【発明の詳細な説明】
【０００１】
【発明の属する技術分野】
この発明は、劇場等の舞台に移動可能に設置される音響反射板装置の改良に関する。
【０００２】
【従来の技術】
たとえば、劇場等の舞台でのオーケストラの演奏の際には、音響効果を高めたり改善したりするために音響反射板装置が設置されるが、一般に、この音響反射板装置は、移動可能な態様に構成されている。
【０００３】
すなわち、従来提案としての図３および図４に示す音響反射板装置は、門型の相似形に形成された複数の音響反射板１ａ，１ｂ，１ｃを有してなるが、この各音響反射板１ａ，１ｂ，１ｃは、図中で左側となる舞台Ｓの奥側から図中で右側となる舞台Ｓの客席側にかけて配設されたそれぞれのレール２ａ，２ｂ，２ｃに副って図中で左右方向となる前後方向に移動可能なように構成されている。
【０００４】
したがって、この音響反射板装置にあっては、各音響反射板１ａ，１ｂ，１ｃをそれぞれのレール２ａ，２ｂ，２ｃに副って移動することのみで、該各音響反射板１ａ，１ｂ，１ｃの舞台Ｓへの設置およ舞台Ｓの奥側への格納が可能になる利点がある。
【０００５】
そして、各音響反射板１ａ，１ｂ，１ｃを格納する際には、図中に仮想線図で示すように、一番大きい音響反射板１ａの内側に一回り小さい音響反射板１ｂを臨在させると共に、この音響反射板１ｂの内側に一番小さい音響反射板１ｃをさらに臨在させて全体をコンパクト化し、この状態から、図中に仮想線矢印で示すように、舞台Ｓの奥に移動させることが可能になる利点がある。
【０００６】
また、各レール２ａ，２ｂ，２ｃが舞台Ｓの床面Ｆを掘り下げるようにして溝状に形成されてなる場合には、各音響反射板１ａ，１ｂ，１ｃにおいて、各レール２ａ，２ｂ，２ｃを横切る方向に作用する水平力に対しても対抗でき、各音響反射板１ａ，１ｂ，１ｃのいわゆる横方向への位置ずれを危惧しなくて済む利点もある。
【０００７】
【発明が解決しようとする課題】
しかしながら、上記した従来提案としての音響反射板装置にあっては、舞台Ｓに各レール２ａ，２ｂ，２ｃを常設させるから、たとえば、舞台Ｓが演舞に利用されるとき等にいわゆる邪魔になる不具合がある。
【０００８】
そして、各レール２ａ，２ｂ，２ｃが床面Ｆを掘り下げた溝状に形成される場合には、舞台Ｓを他の目的に利用する際にはこれを塞ぎ、音響反射板装置を利用する際にはこれを開放する各作業がその都度必須になる不具合がある。
【０００９】
また、舞台Ｓに各レール２ａ，２ｂ，２ｃを配設するについて、この舞台Ｓに大迫りや小迫り等の迫り台装置が装備されている場合には、この迫り台装置との取り合いを考慮していわゆる干渉を防止しなければならず、状況によっては、各レール２ａ，２ｂ，２ｃの配設、すなわち、音響反射板装置の設置が困難になることが予想される。
【００１０】
さらに、各レール２ａ，２ｂ，２ｃの配設が必須とされるので、いわゆるレール部材が必要になるのはもちろんのこと、各レール２ａ，２ｂ，２ｃの配設作業が必須とされ、その分、音響反射板装置を装備することを含めてコスト高にする不具合がある。
【００１１】
この発明は、上記した事情を鑑みて創案されたもので、その目的とするところは、使用時に所定の音響効果が得られるのはもちろんのこと、不使用時に舞台の利用に際して邪魔にならず、いたずらな付帯作業を要せずしてその設置や格納が可能になり、装備することを含めて不必要なコスト高を招来せずして、その汎用性の向上を期待するに最適となる音響反射板装置を提供することである。
【００１２】
【課題を解決するための手段】
上記の目的を達成する為，本発明の手段は、舞台の奥側に配設されて舞台の客席側に開口すると共に背面部と左右一対の脇部と天井部と床部とで横向き函状に形成された基体と、上記脇部の開口端に担持されて前後方向に折り畳み可能に形成された左右一対の脇体と、上記天井部の開口端に釣支されて起伏可能に設定された天井体と、上記背面部と脇部と天井部と脇体と天井体の各内側に展設した音響反射材と、上記床部の下面側に装備したエアーベアリングとを有してなり、上記天井体が上記基体の上方の開口端に吊り下げられた状態に維持されると共に上記脇体を折り畳んで上記脇部に副う状態に維持させた格納状態で上記エアーベアリングのエアブロー効果で基体を舞台の上方に浮上させながら所定の設置場所に移動可能にしたことを特徴とするものである。
【００１３】
そして、好ましくは、基体が舞台に装備の迫り台装置上に載置されて迫り下げられたときに伸ばされた左右一対の脇体の下端が舞台の床面に担持されてなるとし、また、天井体が舞台の上方に配備されたバトン機構から垂下される吊りワイヤに分離可能に連結されて起伏可能とされてなるとする。
【００１４】
【発明の実施の形態】
以下、図示した実施の形態に基づいてこの発明を説明するが、この発明の一実施の形態による音響反射板装置は、図１および図２に示すように、基体１０と、左右で一対の脇体２０，２０と、天井体３０とを有してなり、これらの各体１０，２０，３０で舞台Ｓ上に音響空間Ａ（図１参照）を形成している。
【００１５】
基体１０は、背面部１１と、左右で一対の脇部１２，１２と、天井部１３と、床部１４とを有してなり、図中で左側となる舞台Ｓの奥側に配設されて図中で右側となる舞台Ｓの客席側に開口する横向き函状に形成されている。
【００１６】
背面部１１，脇部１２および天井部１３は、たとえば、フレーム構造に形成されてその軽量化が意図されていると共に、いわゆる内側にそれぞれ化粧材を兼ねる音響反射材１１ａ，１２ａ，１３ａを展設させている。
【００１７】
また、床部１４は、その上面への多数人の立ち入りを許容するいわゆる床構造に形成されていて、この実施の形態にあっては、図１に示すように、下面側に舞台Ｓの床面Ｆに対向するエアーベアリング１５を装備している。
【００１８】
このエアーベアリング１５は、詳しくは図示しないが、圧搾空気を舞台Ｓの床面Ｆに向かって真下に吹き付け床面Ｆ上に空気の層を出現させる構造に形成されていて、エアブロー効果で基体１０を舞台Ｓの床面Ｆの上方に浮上させるように設定されている。
【００１９】
それゆえ、基体１０は、エアーベアリング１５によるエアブロー効果で浮上しているときに、床面Ｆに対する摩擦が極端に低くなるので、横方向の外力作用、たとえば、作業員の操作で任意の方向に移動し得ることになる。
【００２０】
なお、床部１４は、図示する実施の形態では、図２に示すように、ブレーキ付きの駆動機構１６を有し、この駆動機構１６の作動でエアーベアリング１５によるエアブロー効果で浮上している基体１０を舞台Ｓ上で移動させ定着させるように構成されているが、この駆動機構１６は、その装備が省略されても良いことはもちろんである。
【００２１】
ただ、床部１４がブレーキ付きの駆動機構１６を有する場合には、基体１０のエアブロー効果による移動時に慣性による暴走を効果的に阻止し得ることになる点で有利となる。
【００２２】
ところで、基体１０は、図示する実施の形態にあって、舞台Ｓに装備の迫り台装置Ｌ上に載置されたときに、この音響反射板装置の利用時の所定位置に位置決められるとしている。
【００２３】
このように設定するのは、第一に、通常、この種の舞台Ｓは、大なり小なりこの種の迫り台装置Ｌを装備しており、それゆえ、この迫り台装置Ｌ上に載置したときに、基体１０が舞台Ｓ上の所定位置に位置決められるとすることで、この基体１０の設置作業、すなわち、音響反射板装置の設置作業を迅速容易に実現し得ることになるからである。
【００２４】
第二には、この音響反射板装置の利用時に、基体１０および後述する一対の脇体２０，２０の立設状態を安定させ易くすることになるからであるが、このことについては、改めて後述する。
【００２５】
ちなみに、迫り台装置Ｌは、図示する実施の形態では、図１に示すように、基体１０を載置させる迫り床Ｌ１が下方のねじジャッキＬ２によってピットＰ内で上下されるように設定されており、迫り床Ｌ１が迫り下げられて、基体１０における床部１４の上面を舞台Ｓの床面Ｆと一致させるときに、この音響反射板装置を利用時状態に維持するとしている。
【００２６】
一対の脇体２０，２０は、図２に示すように、基体１０の左右側の開口端にそれそれ担持されて前後方向に折り畳み可能に形成されてなるもので、この音響反射板装置の利用時には、図１および図２中に実線図で示すように、伸ばされた状態におかれ、この音響反射板装置の不使用時たる格納時には、図中１および図２に破線図で示すように、折り畳まれた状態におかれる。
【００２７】
また、脇体２０は、基体１０における脇部１２と同様に、フラッシュ構造やフレーム構造に形成されてその軽量化が意図されていると共に、内側に化粧材を兼ねる音響反射材２０ａを展設させている（図２参照）。
【００２８】
そして、脇体２０は、図示するように、伸ばされて利用可能な状態におかれるときには、下端が舞台Ｓの床面Ｆに支承されるように設定されており、図示する実施の形態では、舞台Ｓに装備の迫り台装置Ｌ上に載置された基体１０が迫り台装置Ｌによって迫り下げられたときに、下端が舞台Ｓの床面Ｆに支承されるとしている（図１参照）。
【００２９】
このように設定することで、すなわち、基体１０が舞台Ｓに装備の迫り台装置Ｌ上に載置されるように設定されることで、伸ばされた脇体２０の下端が舞台Ｓの床面Ｆに支承されて、この脇体２０の立設状態が安定される、すなわち、この音響反射板装置の利用状態が安定されると共に、基体１０が迫り上げられたときに、脇体２０の下端が舞台Ｓの床面Ｆから離脱し、脇体２０を抵抗なく移動させること、すなわち、抵抗なく折り畳みあるいは伸ばすことが可能になる。
【００３０】
なお、脇体２０の折り畳みおよび伸ばしは、舞台Ｓ上にいる作業員の操作によって実現されるが、これに代えて、たとえば、脇体２０に装備した駆動機構の利用によるとしても良い。
【００３１】
ただ、図示する実施の形態のように、手動操作によるとする場合には、上記の駆動機構の装備が不要になり、軽量になる利点がある他にコストや経費の上昇化を招来しなくて済む利点がある。
【００３２】
天井体３０は、図１に示すように、基体１０の上方の開口端に釣支されて起伏可能に設定されてなるもので、図示する実施の形態にあっては、舞台Ｓ上方に配備されているバトン機構（図示せず）から垂下される吊りワイヤＷが分離可能にフック３１に連繋され、この吊りワイヤＷが昇降、すなわち、巻き上げられ繰り出されることで起伏されるように設定されている。
【００３３】
そして、この天井体３０にあっても、フラッシュ構造やフレーム構造に形成されてその軽量化が意図され、内側に化粧材を兼ねる音響反射材３０ａを展設させている。
【００３４】
それゆえ、この天井体３０にあっては、この天井体３０あるいは基体１０にこの天井体３０を起伏させるための動力機構などを設ける必要がなくなり、音響反射板装置全体の重量の増大化を阻止し得ると共に、製造コストの増大化あるいは利用時の経費の増大化を阻止できることになる。
【００３５】
なお、この天井体３０は、図示する実施の形態にあって、台形の平面形状を有するように形成されている（図２参照）が、これは、一対の脇体２０，２０が基体１０の脇部１２に沿って先広がり状に配在されていることからであり、したがって、音漏れに通じるいたずらな空隙が形成されない限りにおいては、自由な平面形状を有するように形成されても良いこともちろんである。
【００３６】
上記のように形成されたこの実施の形態による音響反射板装置は、これが格納状態におかれるときには、天井体３０がバトン機構からの吊りワイヤＷから分離されて倒伏された状態、すなわち、図１中に仮想線図で示すように、基体１０の上方の開口端に吊り下げられた状態に維持される。
【００３７】
一方、一対の脇体２０，２０が、図２中に仮想線図で示すように、それぞれ折り畳まれて基体１０の脇部１２に副う状態に維持され、この状態で舞台Ｓの奥側となる所定の格納場所に起立状態で格納される。
【００３８】
このとき、この音響反射板装置の不測の倒れを防止するために、図１中に仮想線図で示すように、基体１０の背面部１１の上端部に控え用のワイヤロープＷ１を連結するのが好ましい。
【００３９】
そして、このように、基体１０への控え用のワイヤロープＷ１の連結を可能にするときには、この控え用のワイヤロープＷ１をこの音響反射板装置の利用時にも利用することが可能になり、音響反射板装置の安全な利用状態を実現できる点からも有利となる。
【００４０】
格納状態にある音響反射板装置を舞台Ｓ上の所定位置に移動するには、上記の控え用のワイヤロープＷ１の連結を解除する一方で、基体１０の床部１４に装備のエアーベアリング１５を作動させて、基体１０、すなわち、音響反射板装置を舞台Ｓ上で浮上させ、この状態から舞台Ｓ上の所定の設置場所、すなわち、舞台Ｓに装備の迫り台装置Ｌの迫り床Ｌ１上に移動させる。
【００４１】
このとき、基体１０、すなわち、音響反射板装置は、エアーベアリング１５の作動によるエアブロー効果で舞台Ｓ上に浮上しているから、たとえば、作業員の操作で所定の方向に簡単に移動し得る。
【００４２】
音響反射板装置、すなわち、基体１０が迫り台装置Ｌの迫り床Ｌ１上に移動された後は、エアーベアリング１５を作動を中止して、基体１０を静止させる、すなわち、迫り台装置Ｌの迫り床Ｌ１上に起立させる。
【００４３】
ついで、折り畳まれている一対の脇体２０，２０を前方、すなわち、舞台Ｓの客席側に伸ばし、この状態から、迫り台装置Ｌにおける迫り床Ｌ１を迫り下げて基体１０を下降させる。
【００４４】
このとき、迫り台装置Ｌにおける迫り床Ｌ１は、基体１０を形成する床部１４の上面が舞台Ｓの床面Ｆと一致する、すなわち、同レベルになるように下降される。
【００４５】
この基体１０の下降によって、伸ばされた状態の左右で一対となる脇体２０，２０は、その下端が舞台Ｓの床面Ｆに当接され、すなわち、舞台Ｓの床面Ｆに支承され、安定した立設状態を維持し得ることになる。
【００４６】
そして、基体１０の背面部１１の上端部に控え用のワイヤロープＷ１を連結することで、基体１０を、すなわち、音響反射板装置をより一層安定した状態に維持し得ることになる。
【００４７】
以上のようにして、基体１０と一対の脇体２０，２０が安定された後に、天井体３０を舞台Ｓ上方に配備されているバトン機構から垂下される吊りワイヤＷで吊り上げて開成状態にし、この状態を維持して基体１０および一対の脇体２０，２０と友に舞台Ｓ上に音響空間Ａを形成する。
【００４８】
この音響空間Ａは、たとえば、オーケストラの利用に供されるが、利用後の音響反射板装置は、上記したところと逆の手順をたどって、所定の場所に格納される。
【００４９】
【発明の効果】
以上のように、この発明にあっては、エアーベアリングによって基体、すなわち、音響反射板装置を浮上させた状態で舞台上の任意位置に移動できるから、舞台にレールなどを設けることなくして音響反射板装置の設置および格納が可能になる。
【００５０】
このとき、音響反射板装置にあっては、一対の脇体が基体に脇部に副うように折り畳まれ、また、天井体が基体の前側に釣支されて、いわゆるコンパクト化した状態に維持されるので、エアーベアリングを利用しての移動に際して、安定性良くして、効率の良いエアブロー効果が得られることになる。
【００５１】
そして、この発明にあっては、基体が舞台に装備の迫り台装置上に載置されて迫り下げられたときに伸ばされた左右一対の脇体の下端が舞台の床面に担持されるとするから、伸ばされた各脇体の下端が舞台の床面に支承されて、各脇体の立設状態、すなわち、音響反射板装置の設置状態が安定されることになる。
【００５２】
このとき、基体は、舞台に装備の迫り台装置上に載置されるときにその配設位置が決められることになるから、基体、すなわち、音響反射板装置の設置作業を迅速容易に実現し得ることになる。
【００５３】
また、基体が迫り台装置によって迫り上げられたときには、脇体の下端が舞台の床面から離脱する状態になるから、この状態で脇体を抵抗なく移動させる、すなわち、簡単に折り畳みあるいは伸ばすことを可能にし得ることになる。
【００５４】
また、この発明にあっては、天井体が舞台の上方に配備されたバトン機構から垂下される吊りワイヤに分離可能に連結されて起伏可能とされてなるから、天井体もしくはこれが連結される基体に天井体を起伏させるための動力機構などを設ける必要がなく、いたずらな重量の増大化や製造コストの上昇化などを阻止できることになる。
【００５５】
その結果、この発明によれば、使用時に所定の音響効果が得られるのはもちろんのこと、不使用時に舞台の利用に際して邪魔にならず、いたずらな付帯作業を要せずしてその設置や格納が可能になり、装備することを含めて不必要なコスト高を招来せずして、その汎用性の向上を期待するに最適となる利点がある。
【図面の簡単な説明】
【図１】この発明の一実施の形態による音響反射板装置を示す縦断面図である。
【図２】図１の音響反射板装置を示す横断面図である。
【図３】従来例としての音響反射板装置を示す立面図である。
【図４】図３の音響反射板装置を示す平面図である。
【符号の説明】
１０  基体
１４  床部
１５  エアーベアリング
２０  脇体
３０  天井体
Ｆ  床面
Ｓ  舞台
Ｌ  迫り台装置
Ｗ  吊りワイヤ
【図１】
0003781833.tif 000002
【図２】
0003781833.tif 000003
【図３】
0003781833.tif 000004
【図４】
0003781833.tif 000005